【手続補正書】
【提出日】平成26年12月9日(2014.12.9)
【手続補正１】
【補正対象書類名】明細書
【補正対象項目名】０３０７
【補正方法】変更
【補正の内容】
【０３０７】
ヘキサンで抽出した実施例３４のサンプルを、Ｓｃｏｔｃｈｃａｓｔ（商標）Ｅｌｅｃｔｒｉｃａｌ Ｒｅｓｉｎ ５（３Ｍ Ｃｏｍｐａｎｙ（Ｓｔ Ｐａｕｌ，ＭＮ）から入手可能）に埋め込み、室温で厚さ約９０ｎｍにミクロトームで切断して、透過電子顕微鏡（ＴＥＭ）のために調製した。切片は水の上で採取し、３ｍｍ Ｃｕ ＴＥＭグリッドの上の孔の開いた炭素支持フィルムに移した。ＪＥＯＬ ２１００Ｆ電界放出透過電子顕微鏡（ＪＥＯＬ Ｌｔｄ．（Ｔｏｙｋｏ，Ｊａｐａｎ）から入手可能）を使用して、撮像が実施された。倍率２０ｋＸ、互いに１．５度の傾きで撮影された一連の８０枚の明視野ＴＥＭ像から得られた、断層写真のコンピューター再構築立体から、画像が生成された。この画像は、ＳｅｒｉａｌＥＭソフトウェアを用いてコンピューター制御下で取得し、ｅＴｏｍｏソフトウェアで再構築が行われた。これらは両方とも、コロラド大学のＢｏｕｌｄｅｒ Ｌａｂｏｒａｔｏｒｙ ｆｏｒ ３−Ｄ Ｅｌｅｃｔｒｏｎ Ｍｉｃｒｏｓｃｏｐｙ ｏｆ Ｃｅｌｌｓから入手できる。この結果はＳＥＭ画像と一致しており、平均約２０ｎｍの小孔が見え、粗さ範囲は１０〜５０ｎｍであった。
本出願では、以下の態様が提供される。
１．  重合性樹脂組成物と、１０重量％超〜２５重量％固形分の、親水性−親油性バランスが２〜６である非イオン性非重合性界面活性剤と、を含む、コーティング組成物。
２．  前記コーティング組成物が、重合性界面活性剤、シリコーン基若しくはフッ素化基を含む添加剤、又はこれらの組み合わせを更に含む、態様１に記載のコーティング組成物。
３．  重合性樹脂組成物と、非重合性非イオン性界面活性剤と、シリコーン基若しくはフッ素化基、及び６、７、若しくは８個を超える炭素原子を有するアルキル基又はアルキレン基を含む疎水基を含む添加剤と、を含む、コーティング組成物。
４．  前記非重合性非イオン性界面活性剤が、前記コーティング組成物中に、１０重量％〜２５重量％固形分の範囲の量で存在する、態様３に記載のコーティング組成物。
５．  前記非重合性非イオン性界面活性剤の親水性−親油性バランスが６以下である、態様３又は４に記載のコーティング組成物。
６．  前記非重合性非イオン性界面活性剤の親水性−親油性バランスが少なくとも２である、態様３〜５のいずれか一項に記載のコーティング組成物。
７．  前記非重合性非イオン性界面活性剤が、室温で液体である、態様１〜６のいずれか一項に記載のコーティング組成物。
８．  前記非重合性非イオン性界面活性剤が、少なくとも１２個の炭素原子を有するアルキル基又はアルケニル基を含む、態様１〜７のいずれか一項に記載のコーティング組成物。
９．  前記組成物が、重合性非イオン性界面活性剤を更に含む、態様１〜８のいずれか一項に記載のコーティング組成物。
１０．  前記疎水基が、非イオン性界面活性剤化合物から誘導される、態様３〜９のいずれか一項に記載のコーティング組成物。
１１．  前記添加剤の前記非イオン性界面活性剤の親水性−親油性バランスが１〜１９の範囲である、態様１０に記載のコーティング組成物。
１２．  前記添加剤が、前記疎水基に結合している、エトキシレート繰り返し単位、プロポキシレート繰り返し単位、又はこれらの混合物を更に含む、態様３〜１１のいずれか一項に記載のコーティング組成物。
１３．  前記添加剤がフリーラジカル重合性添加剤である、態様２〜１２のいずれか一項に記載のコーティング組成物。
１４．  前記フリーラジカル重合性添加剤が、少なくとも１つの（メタ）アクリレート基を含む、態様１３に記載のコーティング組成物。
１５．  前記フリーラジカル重合性添加剤が、少なくとも２つの（メタ）アクリレート基を含む、態様１３に記載のコーティング組成物。
１６．  前記フリーラジカル重合性添加剤が、少なくとも２つの（メタ）アクリレート基を有する末端基を含む、態様１５に記載のコーティング組成物。
１７．  前記添加剤がフッ素化基を含む、態様１〜１６のいずれか一項に記載のコーティング組成物。
１８．  前記添加剤が、一価のペルフルオロポリエーテル部分を含む、態様１７に記載のコーティング組成物。
１９．  前記ペルフルオロポリエーテル部分が、Ｆ（ＣＦ（ＣＦ３）ＣＦ２Ｏ）ａＣＦ（ＣＦ３）−であり、式中、ａが４〜１５の範囲である、態様１８に記載のコーティング組成物。
２０．  前記フッ素化基が、約３０モル％以下の量で添加剤中に存在する、態様１７〜１９のいずれか一項に記載のコーティング組成物。
２１．  前記添加剤が、ウレタン結合又はポリ（メタ）アクリレート結合を含む、態様２〜２０のいずれか一項に記載のコーティング組成物。
２２．  前記添加剤が、ポリジメチルシロキサン主鎖と、（メタ）アクリレート基末端の少なくとも１つのアルコキシ側鎖を含む、態様２、１３、又は１４に記載のコーティング組成物。
２３．  前記重合性樹脂組成物が、少なくとも１つのフリーラジカル重合性モノマー、オリゴマー、ポリマー、又はこれらの混合物を含む、態様１〜２２のいずれか一項に記載のコーティング組成物。
２４．  前記重合性樹脂が、少なくとも２つのフリーラジカル重合性基を含む少なくとも１つの非フッ素化結合剤前駆体を含む、態様２３に記載のコーティング組成物。
２５．  前記コーティング組成物が、無機酸化物ナノ粒子を更に含む、態様１〜２４のいずれか一項に記載のコーティング組成物。
２６．  態様１〜２５のいずれか一項に記載の前記硬化コーティング組成物を含む、物品。
２７．  硬化コーティングを含む物品であって、前記硬化コーティングが、初期に可視のシミュレートされた指紋の視認性が１〜２０分で低下する特性を呈する、物品。
２８．  前記硬化コーティングが、初期に可視のシミュレートされた指紋の視認性が２０分以内に低下する特性を呈する、態様２７に記載の物品。
２９．  前記硬化コーティングが、０．８０、０．７０、０．６０、又は０．５０未満の、初期のシミュレートされた指紋視認性と２０分後のシミュレートされた指紋視認性の比を呈する、態様２７又は２８に記載の物品。
３０．  前記物品が、態様１〜２５の前記コーティング組成物の反応生成物を含む、態様２７〜２９のいずれか一項に記載の物品。
３１．  前記硬化コーティングが撥インク性を更に呈する、態様２７〜３０のいずれか一項に記載の物品。
３２．  前記硬化コーティングが、ヘキサデカンとの後退接触角が４０〜６０°の範囲を呈する、態様２７〜３１のいずれか一項に記載の物品。
３３．  前記硬化コーティングが、２．５％未満のヘイズを有する、態様２７〜３２のいずれか一項に記載の物品。
３４．  前記物品が光学ディスプレイである、態様２７〜３３のいずれか一項に記載の物品。
３５．  前記硬化コーティングが、光透過性ポリマーフィルム上に提供されている、態様２７〜３４のいずれか一項に記載の物品。
３６．  前記硬化コーティングが、セルロース表面吸引力試験により、２０％、又は１０％、又は５％未満のヘイズを呈する、態様２７〜３５のいずれか一項に記載の物品。
３７．  基材上にコーティング組成物を供給する工程と、前記コートされた基材上にシミュレート指紋組成物を適用する工程と、前記コート基材上の前記シミュレート指紋組成物の光学的特性を測定する工程と、を含む、コーティング組成物の指紋視認性を測定する方法。
３８．  前記コーティング組成物が重合性組成物であり、前記コーティング組成物が硬化されてからシミュレートされた指紋を適用する、態様３７に記載の方法。
３９．  前記コーティング組成物が溶媒を含み、前記コーティング組成物が乾燥されてから前記シミュレートされた指紋を適用する、態様３７又は３８に記載の方法。
４０．  ヘイズが、初期及び経続時間後に測定される、態様３７〜３９のいずれか一項に記載の方法。
４１．  前記シミュレート指紋組成物が、脂肪固形物と油性液体との混合物を含む、態様３７〜４０のいずれか一項に記載の方法。
４２．  一般式：
【化１１】
2014503654.tif 000001
を有し、式中、Ｒｆは、一価のペルフルオロポリエーテル基であり、Ｑは、少なくとも二価の連結基であり、Ｘは、Ｏ、Ｓ、又はＮＲ（ここでＲは、Ｈ、又は炭素原子１〜４個の低級アルキルである）であり、Ｒ６は、水素、又は１〜４個の炭素原子を有するアルキルであり、Ｒは疎水基であり、Ｒａは独立して、アルキレン基ＣｘＨ２ｘ（ここでｘ＝２〜４）であり、ｊは７〜５０の範囲であり、Ａは、メタ（アクリル）官能基、例えば−ＸＣ（Ｏ）Ｃ（Ｒ２）＝ＣＨ２であり、式中、Ｒ２は、１〜４個の炭素原子の低級アルキル又はＨ若しくはＦであり、ａは１〜６の範囲であり、ｍ及びｎは、それぞれ独立して１〜１００の範囲であり、ｐは、１〜５０の範囲である、ポリアクリレート組成物。
４３．  重合性樹脂組成物と、親水性−親油性バランスが２〜６の範囲である非イオン性非重合性界面活性剤と、重合性界面活性剤とを含み、ここで前記界面活性剤が、１０重量％超〜２５重量％固形分の濃度で存在する、コーティング組成物。
４４．  前記コーティング組成物が、態様１〜８及び１０〜２５のいずれか一項又は組み合わせによって更に特徴付けられる、態様４３に記載のコーティング組成物。
４５．  複数の細孔を含み、前記細孔の一部が相互連結し親油性液体を含む、ポリマー有機材料を含む、コートされた表面。
４６．  前記親油性液体が非イオン性界面活性剤である、態様４５に記載のコート表面。
４７．  前記親油性液体が、少なくとも１０重量％固形物の量で存在する、態様４５又は４６に記載のコート表面。
４８．  前記コート表面が、少なくとも１、２、３、４、又は５重量％の溶媒抽出可能親油性液体を含む、態様４５〜４７のいずれか一項に記載のコート表面。
４９．  前記親油性液体を含む前記細孔の少なくとも１０、２０、３０、４０、５０％が、孤立した細孔、相互連結している細孔、又はそれらの組み合わせとして前記表面に露出している、態様４５〜４８のいずれか一項に記載のコート表面。
５０．  前記細孔が、少なくとも０．０１ｃｃ／ｇ、又は０．０２ｃｃ／ｇの細孔体積を有する、態様４５〜４９のいずれか一項に記載のコート表面。
５１．  前記コート表面が、前記親油性液体の少なくとも大半を溶媒抽出した後、少なくとも５ｍ２／ｇの表面積を有する、態様４５〜５０のいずれか一項に記載のコート表面。
５２．  前記平均細孔寸法が２００ナノメートル未満、又は１００ナノメートル未満、又は５０ナノメートル未満である、態様４５〜５１のいずれか一項に記載のコート表面。
５３．  前記コート表面が、態様１〜２５及び４３〜４４の前記コーティング組成物の反応生成物を含む、態様４５〜５２のいずれか一項に記載のコート表面。
５４．  前記コート表面が、態様２７〜２９のいずれか一項による、初期に可視のシミュレートされた指紋の視認性が低下する特性を呈する、態様４５〜５３のいずれか一項に記載のコート表面。
５５．  前記コート表面が、態様３１〜３６のいずれか一項による１つ以上の特性を呈する、態様４５〜５３のいずれか一項に記載のコート表面。
【手続補正２】
【補正対象書類名】特許請求の範囲
【補正対象項目名】全文
【補正方法】変更
【補正の内容】
【特許請求の範囲】
【請求項１】
重合性樹脂組成物と、
任意に重合性界面活性剤との組み合わせで１０重量％超〜２５重量％固形分の、親水性−親油性バランスが２〜６である非イオン性非重合性界面活性剤と、
を含む、コーティング組成物。
【請求項２】
前記コーティング組成物が、シリコーン基若しくはフッ素化基を含む添加剤を更に含む、請求項１に記載のコーティング組成物。
【請求項３】
前記添加剤が６個を超える炭素原子を有するアルキル基又はアルキレン基を含む疎水基を更に含む、請求項２に記載のコーティング組成物。
【請求項４】
前記非重合性非イオン性界面活性剤が、少なくとも１２個の炭素原子を有するアルキル基又はアルケニル基を含む、請求項１〜３のいずれか一項に記載のコーティング組成物。
【請求項５】
前記添加剤が、前記疎水基に結合している、エトキシレート繰り返し単位、プロポキシレート繰り返し単位、又はこれらの混合物を更に含む、請求項３又は４に記載のコーティング組成物。
【請求項６】
前記添加剤がフリーラジカル重合性添加剤である、請求項２〜５のいずれか一項に記載のコーティング組成物。
【請求項７】
前記添加剤が、一価のペルフルオロポリエーテル部分を含む、請求項２〜５のいずれか一項に記載のコーティング組成物。
【請求項８】
前記添加剤が、ウレタン結合又はポリ（メタ）アクリレート結合を含む、請求項２〜６のいずれか一項に記載のコーティング組成物。
【請求項９】
前記添加剤が、ポリジメチルシロキサン主鎖と、（メタ）アクリレート基末端の少なくとも１つのアルコキシ側鎖を含む、請求項２又は６に記載のコーティング組成物。
【請求項１０】
前記重合性樹脂組成物が、少なくとも２つのフリーラジカル重合性基を含む、少なくとも１つの重合性モノマー、オリゴマー又はポリマーを含む、請求項１〜９のいずれか一項に記載のコーティング組成物。
【請求項１１】
前記コーティング組成物が、無機酸化物ナノ粒子を更に含む、請求項１〜１０のいずれか一項に記載のコーティング組成物。
【請求項１２】
請求項１〜１１のいずれか一項に記載の前記硬化コーティング組成物を含み、前記硬化コーティングが、０．８０未満の、初期のシミュレートされた指紋視認性と２０分後のシミュレートされた指紋視認性の比を呈する、物品。
【請求項１３】
前記物品が光学ディスプレイである、請求項１２に記載の物品。
【請求項１４】
前記硬化コーティングが、光透過性ポリマーフィルム上に提供されている、請求項１２に記載の物品。